(57)【要約】【課題】  無音ボタンを具えたマウスの提供。【解決手段】  遮蔽部品を採用して光束を遮蔽し、光受信部品に光束照射を受けるか受けないかのいずれかの状態により、それぞれに対応する制御信号を出力させる。本発明は伝統的なマウスのボタン押圧時の内部の金属弾性片の発生する耳障りな騒音をなくし、周知の金属弾性片の長時間使用による酸化あるいは不当な表面処理によりもたらされる接点接触不良の使用寿命と使用触感に対する影響を解消した。【選択図】        図１
2007004764.tif 000002
【特許請求の範囲】
【請求項１】
無音ボタンを具えたマウスにおいて、
ケースであって、少なくとも一つのボタン、及び少なくとも一つの弾性部品を包含し、該少なくとも一つの弾性部品が弾性回復力を該少なくとも一つのボタンに提供する、上記ケースと、
少なくとも一つの光学遮断装置であって、各光学遮断装置が発光部品、光受信部品、及び遮蔽部品を包含し、該発光部品は光束を該光受信部品に向けて照射し、該遮蔽部品は対応するボタンの下方に取り付けられ、並びに該発光部品と該光受信部品の間に取り付けられ、ボタンが押圧されることで該遮蔽部品が選択的に該光束を遮断して通過させるか、或いは該光束を遮断せずに通過させ、該光受信部品が光束照射を受けるか受けないかの状態変換により、対応する制御信号を出力する、上記少なくとも一つの光学遮断装置と、
回路板であって、マイクロプロセッサを包含し、該マイクロプロセッサが電気的に該少なくとも一つの光学遮断装置の該光受信部品に接続され、並びに光受信部品の制御信号を受け取り対応信号を出力する、上記回路板と、
を包含したことを特徴とする、無音ボタンを具えたマウス。
【請求項２】
請求項１記載の無音ボタンを具えたマウスにおいて、少なくとも一つの光学遮断装置の遮蔽部品が一体式に対応するボタンの下方に取り付けられたことを特徴とする、無音ボタンを具えたマウス。
【請求項３】
請求項１記載の無音ボタンを具えたマウスにおいて、ケースの少なくとも一つの弾性部品が弾性アームを包含することを特徴とする、無音ボタンを具えたマウス。
【請求項４】
請求項１記載の無音ボタンを具えたマウスにおいて、少なくとも一つの光学遮断装置の発光部品が発光ダイオードを包含することを特徴とする、無音ボタンを具えたマウス。
【請求項５】
請求項１記載の無音ボタンを具えたマウスにおいて、少なくとも一つの光学遮断装置の光受信部品がホトトランジスタを包含することを特徴とする、無音ボタンを具えたマウス。
【請求項６】
請求項１記載の無音ボタンを具えたマウスにおいて、少なくとも一つのボタンがボタン式回転輪、及び該ボタン式回転輪を軸支する中軸である中央回転軸を具え、少なくとも一つの弾性部品が、中央回転軸の下方に支持されたバネを包含し、該中央回転軸の末端が遮蔽部品を包含し並びに発光部品と光受信部品の間に延伸されたことを特徴とする、無音ボタンを具えたマウス。
【請求項７】
請求項１記載の無音ボタンを具えたマウスにおいて、発光部品、光受信部品、弾性部品、遮蔽部品が共同でモジュール化されて光学遮断モジュールが構成されたことを特徴とする、無音ボタンを具えたマウス。
【発明の詳細な説明】
【技術分野】
【０００１】
本発明は無音ボタンを具えたマウスに係り、特に、コンピュータのカーソルポジショニング信号の入力に用いられるマウスに関する。
【背景技術】
【０００２】
マウスのボタンは、その主要な作用がコンピュータ操作時の選択、確認等の機能とされる。伝統的なマウスのボタン設計方式によると、直接マイクロスイッチ或いはタッチスイッチを採用して、マウスボタンの内部構造に対して設計を行っている。
このような周知のスイッチの作動原理を鑑みると、金属弾性片を押圧してそれを変形させ、この金属弾性片と接触端に導通あるいは切断を形成させ、オン或いはオフの電子信号を発生させ、マウスボタンの操作を完成している。
【０００３】
しかし、周知の金属弾性片は変形時に、明らかな音を発生し、耳障りな騒音を発生する。このほか、周知の金属弾性片は、その表面処理の不当或いは長時間の酸化により、接点接触不良を形成し、使用寿命及び使用触感に影響を与える。且つ、金属弾性片変形と接点接触の時、いずれも弾性片変形時間或いは接触導通時間が遅延し、その使用性能及び触感に影響を与える。以上の欠点から分かるように、金属弾性片を使用した伝統的なマウスは理想的でない。
【発明の開示】
【発明が解決しようとする課題】
【０００４】
本発明は無音ボタンを具えたマウスを提供することを目的とし、それは、ケース、少なくとも一つの光学遮断装置、及び回路板を包含する。ケースは少なくとも一つのボタン及び対応する少なくとも一つの弾性部品を包含し、それは対応するボタンに回復予力を提供し、ボタンに上向きの弾性回復力を保持させる。
【０００５】
光学遮断装置は、発光部品、光受信部品、及び遮蔽部品を包含する。遮蔽部品は発光部品と光受信部品の間に取り付けられ、且つボタン下方に取り付けられる。遮蔽部品は選択的に光束を遮断して通過させないか、光束を遮断せずに通過させ、光受信部品は光束照射を受けるか受けないかの状態変換により、それぞれに対応する制御信号を出力する。
【０００６】
回路板にはマイクロプロセッサが設置され、マイクロプロセッサは電気的に光学遮断装置の光受信部品に接続され、並びに光受信部品の制御信号を受け取り対応信号を出力する。
【０００７】
こうして、本発明はボタンで遮蔽部品を押圧することにより、光受信部品の状態を変換し、その出力する制御信号を切り換えることができる。これにより、本発明は徹底的に伝統的なマウス押圧時に発生する耳障りな騒音を無くし、伝統的なマウスの金属弾性片の酸化或いは不当な表面処理によりもたらされる接点不良が使用寿命及び使用触感に影響を与えるという欠点を改善する。このほか、本発明は金属弾性片が変形し接点と接触するまでに発生する時間遅延の問題を解決し、大幅に使用性能を高めている。
【０００８】
このほか、本発明の発光装置は発光ダイオード、或いはその他の等しい効果を有する発光材質を包含する。
【０００９】
このほか、本発明の光受信部品はホトトランジスタ、或いは発光源から射出される光束を受け取れる光受信部品とされる。
【００１０】
そのうち、本発明の遮蔽部品はボタンと一体成形されうる。
【課題を解決するための手段】
【００１１】
請求項１の発明は、無音ボタンを具えたマウスにおいて、
ケースであって、少なくとも一つのボタン、及び少なくとも一つの弾性部品を包含し、該少なくとも一つの弾性部品が弾性回復力を該少なくとも一つのボタンに提供する、上記ケースと、
少なくとも一つの光学遮断装置であって、各光学遮断装置が発光部品、光受信部品、及び遮蔽部品を包含し、該発光部品は光束を該光受信部品に向けて照射し、該遮蔽部品は対応するボタンの下方に取り付けられ、並びに該発光部品と該光受信部品の間に取り付けられ、ボタンが押圧されることで該遮蔽部品が選択的に該光束を遮断して通過させるか、或いは該光束を遮断せずに通過させ、該光受信部品が光束照射を受けるか受けないかの状態変換により、対応する制御信号を出力する、上記少なくとも一つの光学遮断装置と、
回路板であって、マイクロプロセッサを包含し、該マイクロプロセッサが電気的に該少なくとも一つの光学遮断装置の該光受信部品に接続され、並びに光受信部品の制御信号を受け取り対応信号を出力する、上記回路板と、
を包含したことを特徴とする、無音ボタンを具えたマウスとしている。
請求項２の発明は、請求項１記載の無音ボタンを具えたマウスにおいて、少なくとも一つの光学遮断装置の遮蔽部品が一体式に対応するボタンの下方に取り付けられたことを特徴とする、無音ボタンを具えたマウスとしている。
請求項３の発明は、請求項１記載の無音ボタンを具えたマウスにおいて、ケースの少なくとも一つの弾性部品が弾性アームを包含することを特徴とする、無音ボタンを具えたマウスとしている。
請求項４の発明は、請求項１記載の無音ボタンを具えたマウスにおいて、少なくとも一つの光学遮断装置の発光部品が発光ダイオードを包含することを特徴とする、無音ボタンを具えたマウスとしている。
請求項５の発明は、請求項１記載の無音ボタンを具えたマウスにおいて、少なくとも一つの光学遮断装置の光受信部品がホトトランジスタを包含することを特徴とする、無音ボタンを具えたマウスとしている。
請求項６の発明は、請求項１記載の無音ボタンを具えたマウスにおいて、少なくとも一つのボタンがボタン式回転輪、及び該ボタン式回転輪を軸支する中軸である中央回転軸を具え、少なくとも一つの弾性部品が、中央回転軸の下方に支持されたバネを包含し、該中央回転軸の末端が遮蔽部品を包含し並びに発光部品と光受信部品の間に延伸されたことを特徴とする、無音ボタンを具えたマウスとしている。
請求項７の発明は、請求項１記載の無音ボタンを具えたマウスにおいて、発光部品、光受信部品、弾性部品、遮蔽部品が共同でモジュール化されて光学遮断モジュールが構成されたことを特徴とする、無音ボタンを具えたマウスとしている。
【発明の効果】
【００１２】
本発明は一種の無音ボタンを具えたマウスを提供し、それは、遮蔽部品を採用して光束を遮蔽し、光受信部品に光束照射を受けるか受けないかのいずれかの状態により、それぞれに対応する制御信号を出力させる。本発明は伝統的なマウスのボタン押圧時の内部の金属弾性片の発生する耳障りな騒音をなくし、周知の金属弾性片の長時間使用による酸化あるいは不当な表面処理によりもたらされる接点接触不良の使用寿命と使用触感に対する影響を解消した。
【発明を実施するための最良の形態】
【００１３】
図１は本発明の無音ボタンを具えたマウスの実施例の立体構造図である。図１に示されるように、本実施例は、ケース１、三組の光学遮断装置１３０、１４０、１５０、及び回路板２を包含する。
【００１４】
本実施例のケース１はカバー１１及びベース１２で構成される。カバー１１にはボタン１３、１４が設けられ、それより一体に、回復弾力を提供してボタン１３、１４に上向きの弾性回復力を保持させる弾性アーム１３１、１４１が延伸されているとしている。
【００１５】
本実施例の光学遮断装置１３０、１４０は、発光部品１３３、１４３、光受信部品１３４、１４４、及び遮蔽部品１３２、１４２を包含する。発光部品１３３、１４３は発光ダイオードを包含し、ホトトランジスタを包含する光受信部品１３４、１４４に向けて光束を照射する。該遮蔽部品１３２、１４２は発光部品１３３、１４３及び光受信部品１３４、１４４の間に取り付けられ、且つ一体式のボタン１３、１４の下方に対応するよう取り付けられる。遮蔽部品１３２、１４２には小窓が開設され、ボタン１３、１４が下向きに押圧される時、光束は遮蔽部品１３２、１４２の小窓を通過する。ボタン１３、１４が弾性回復力により開始状態に戻る時、光束は遮蔽部品１３２、１４２のその他の部分により遮断され通過しない。これにより光受信部品１３４、１４４が光束照射を受けるか受けないかの二つの状態の間で変換され、並びにそれぞれに対応する制御信号を出力する。
【００１６】
本実施例の回路板２にはマイクロプロセッサ２１が設置されている。マイクロプロセッサ２１は電気的に光学遮断装置１３０、１４０の光受信部品１３４、１４４に接続され、並びに光受信部品１３４、１４４の生成する制御信号を受け取り並びに対応信号を出力する。
【００１７】
このほか、本実施例中のボタンは更にボタン式回転輪１５１及び光学遮断装置１５０を包含しうる。光学遮断装置１５０は中央回転軸１５２、発光部品１５３、及び光受信部品１５４を包含する。中央回転軸１５２はボタン式回転輪１５１の中軸であり、中央回転軸１５２の末端は発光部品１５３と光受信部品１５４の間に延伸されて、選択的に光束を遮断する。
【００１８】
図２は本発明の別の実施例の拡大分解図である。図２に示されるように、本実施例の構造のほとんどは前述の実施例と同じである。ただし、弾性部品１６１、遮蔽部品１６２、発光部品１６３、及び光受信部品１６４が共同でモジュール化された後、一つの光学遮断モジュール１６を構成し、これもまた前述の実施例と同じ効果を達成でき、且つ取り付け時間を節約し並びに製造コストを減らすことができる。
【図面の簡単な説明】
【００１９】
【図１】本発明の無音ボタンを具えたマウスの実施例の立体構造図である。
【図２】本発明の別の実施例の拡大分解図である。
【符号の説明】
【００２０】
１  ケース                                  １１  カバー
１２  ベース                                １３、１４  ボタン
１３０、１４０、１５０  光学遮断装置
１３１、１４１  弾性アーム
１３２、１４２、１６２  遮蔽部品
１３３、１４３、１５３、１６３  発光部品
１３４、１４４、１５４、１６４  光受信部品
１５１  ボタン式回転輪
１５２  中央回転軸                          １５５  バネ
１６  光学遮断モジュール                    １６１  弾性部品
２  回路板                                  ２１  マイクロプロセッサ
【図１】
2007004764.tif 000003
【図２】
2007004764.tif 000004